(57)【要約】【課題】  緊急電話発信装置の機能を設けることにより、ＩＰ回線にて緊急ライン接続を簡単に実現することができるインターネット電話システムを提供する。【解決手段】  インターネット電話システムにおいて、一般電話回線に対する発呼および一般回線からの受信を行うため前記ＩＰ電話終端装置に接続されたＩＰ電話受信／発信手段と、前記ＩＰ電話受信／発信装置と前記一般電話回線との間の接続を行なう電話接続手段と、緊急ラインと判別された時に接続要求元のＩＰアドレスと位置情報を受け取り、最寄の緊急連絡先へ繋がるようＩＰ中継装置へ転送する緊急電話発信装置と、前記各ＩＰ電話装置からの接続要求に含まれるＩＰアドレスを判別し、該ＩＰアドレスが緊急ラインのＩＰアドレスの場合には、前記接続要求元の位置情報を前記緊急電話発信装置に送り、前記ＩＰアドレスが緊急ライン以外の通常のＩＰアドレスの場合には、該接続要求を前記ＩＰ電話接続サーバに送るＩＰ電話番号識別手段と、を有する構成となっている。【選択図】      図１
2005094521.tif 000002
【特許請求の範囲】
【請求項１】
ＩＰを用いて接続される複数のＩＰ電話装置と、
ＩＰを用いて通信を行うためのＩＰ通信回線と前記各ＩＰ電話装置との接続を行うＩＰ電話終端装置と、インターネット電話回線の接続処理を行うため前記ＩＰ電話終端装置に接続されたＩＰ電話接続サーバと、前記ＩＰ電話終端装置を前記インターネット電話回線を介して他のＩＰ電話終端装置に中継する処理を行うＩＰ中継装置と、を有するインターネット電話システムであって、
一般電話回線に対する発呼および一般回線からの受信を行うため前記ＩＰ電話終端装置に接続されたＩＰ電話受信／発信手段と、
前記ＩＰ電話受信／発信装置と前記一般電話回線との間の接続を行う電話接続手段と、
緊急ラインと判別された時に接続要求元のＩＰアドレスと位置情報を受け取り、最寄の緊急連絡先へ繋がるようＩＰ中継装置へ転送する緊急電話発信装置と、
前記各ＩＰ電話装置からの接続要求に含まれるＩＰアドレスを判別し、該ＩＰアドレスが緊急ラインのＩＰアドレスの場合には、前記接続要求元の位置情報を前記緊急電話発信装置に送り、前記ＩＰアドレスが緊急ライン以外の通常のＩＰアドレスの場合には、該接続要求を前記ＩＰ電話接続サーバに送るＩＰ電話番号識別手段と、を有することを特徴とするインターネット電話システム。
【請求項２】
請求項１のインターネット電話システムにおいて、前記ＩＰ電話装置が、発信する接続要求ごとにＩＰアドレスを割り当てるＩＰ電話装置であることを特徴としたインターネット電話システム。
【請求項３】
請求項１または請求項２記載のインターネット電話システムにおいて、前記緊急ラインが、１１０番または１１９番の通信回線であることを特徴としたインターネット電話システム。
【請求項４】
請求項１または請求項２記載のインターネット電話システムにおいて、前記ＩＰ電話番号識別装置が、発信要求元からのＩＰアドレスを認識し、予め登録されたデータにより該ＩＰアドレスが緊急電話であるか否かの識別を行い、該ＩＰアドレスにより、緊急ライン、ＩＰ通信、通常電話回線への接続を行うことを特徴としたインターネット電話システム。
【請求項５】
請求項１記載のインターネット電話システムにおいて、前記ＩＰ電話番号識別手段が、前記ＩＰ電話終端装置内に設けられていることを特徴としたインターネット電話システム。
【請求項６】
請求項１記載のインターネット電話システムにおいて、前記ＩＰ電話番号識別装置が、位置（地域）情報を登録するためのメモリ手段と、接続要求が緊急ラインであるか通常ＩＰ通信であるかの識別手段と、緊急ラインの場合は、予め登録された位置情報をもとに最寄の緊急ラインへ接続を行う手段と、装置自信で緊急ラインへ繋ぐ手段と、通常ＩＰ通信の場合は、前記他のＩＰ電話終端装置への通常のＩＰ通信を行う手段とを持つことを特徴としたインターネット電話システム。
【請求項７】
請求項１または請求項２記載のインターネット電話システムにおいて、発信要求元からのＩＰアドレスを認識し、予め登録されたデータにより該ＩＰアドレスが緊急電話であるか否かの識別を行い、該ＩＰアドレスにより、緊急ライン、ＩＰ通信、通常電話回線への接続を行うことを特徴としたＩＰ電話番号識別装置。
【請求項８】
請求項１記載のインターネット電話システムにおいて、位置（地域）情報を登録するためのメモリ手段と、接続要求が緊急ラインであるか通常ＩＰ通信であるかの識別手段と、緊急ラインの場合は、予め登録された位置情報をもとに最寄の緊急ラインへ接続を行う手段と、装置自信で緊急ラインへ繋ぐ手段と、通常ＩＰ通信の場合は、前記他のＩＰ電話終端装置への通常のＩＰ通信を行う手段とを持つことを特徴としたＩＰ電話番号識別装置。
【発明の詳細な説明】
【技術分野】
【０００１】
本発明は、インターネットを用いて電話サービスを提供するインターネット電話システムに関し、特に、インターネット電話システムにおいて接続要求を１１０番や１１９番等の緊急ラインに対して繋ぐための緊急ライン接続方法に関するものである。
【背景技術】
【０００２】
最近、一般電話よりも安価なコストで通信を行うことができるインターネット電話システムであるＩＰ電話が、非常な勢いで普及してきている。しかし、このＩＰ電話システムにおいては、１１０番や１１９番等の緊急ラインに対して接続することが大きな課題となっている。
なお、先行技術としては、特開２０００−１３８７５２公報（ＩＰ電話装置からの接続要求が緊急ラインへの接続要求の場合には、ＩＰ電話番号識別装置４は、その呼を記憶しておくとともにその接続要求をＩＰ電話受信／発信装置５および電話接続装置６を介して一般電話回線網へ直接接続する。したがって、接続されている通信回線が緊急ラインである場合には何らかの理由で通信回線が切断された場合でも元の通信回線を再接続することができ、一般電話回線網の回線品質と同程度の回線品質で緊急ラインの接続が可能となる）、特開２００１−２５７８２９公報（このネットワークファクシミリ装置ＦＸに対して、転送画情報を送信しようとするグループ４ファクシミリ装置のユーザは、転送先に対応したＩＳＤＮ番号を着番号に指定するだけで、所望する転送先へ画情報を転送させることができ、転送送信操作時の操作の手間を大幅に軽減する）等が挙げられる。
【特許文献１】特開２０００−１３８７５２公報
【特許文献２】特開２００１−２５７８２９公報
【発明の開示】
【発明が解決しようとする課題】
【０００３】
ここで、緊急電話への通信を行う際に従来の一般電話では電話を発信した場所から最寄の緊急連絡先へと繋げることが可能であったが、これがインターネット電話システムであるＩＰ電話となった場合、ＩＰネットワークを介しパケット情報を送信するため、ＩＰ電話発信元の位置が把握できないため、ＩＰ電話発信元の位置から最寄の緊急連絡先への送信が不可能となっている。
しかしながら、ＩＰ電話を利用することで従来の一般電話よりも安価なコストで通信を行うことができる。よって低コストなＩＰ電話を使用できることが今後のユーザのニーズとなり、そのために重要レベルの高い緊急電話への通信を行うことができるようにすることは重要な課題であった。
なお、上記課題に対して、従来技術では、緊急ラインへの接続を行う際に、そのＩＰアドレスを識別し、一般電話回線へと転送することで通信を可能としていた。
しかしながら、上記ＩＰアドレスを識別が、なかなか困難である問題点があった。
本発明は、上記問題点を解決するためになされたものであって、その目的は、緊急電話発信装置の機能を設けることにより、ＩＰ回線にて緊急ライン接続を簡単に実現することができるインターネット電話システムを提供することである。
【課題を解決するための手段】
【０００４】
上述の目的を達成するために、請求項１記載の発明は、ＩＰを用いて接続される複数のＩＰ電話装置と、ＩＰを用いて通信を行うためのＩＰ通信回線と前記各ＩＰ電話装置との接続を行うＩＰ電話終端装置と、インターネット電話回線の接続処理を行うため前記ＩＰ電話終端装置に接続されたＩＰ電話接続サーバと、前記ＩＰ電話終端装置を前記インターネット電話回線を介して他のＩＰ電話終端装置に中継する処理を行うＩＰ中継装置と、を有するインターネット電話システムにおいて、一般電話回線に対する発呼および一般回線からの受信を行うため前記ＩＰ電話終端装置に接続されたＩＰ電話受信／発信手段と、前記ＩＰ電話受信／発信装置と前記一般電話回線との間の接続を行なう電話接続手段と、緊急ラインと判別された時に接続要求元のＩＰアドレスと位置情報を受け取り、最寄の緊急連絡先へ繋がるようＩＰ中継装置へ転送する緊急電話発信装置と、前記各ＩＰ電話装置からの接続要求に含まれるＩＰアドレスを判別し、該ＩＰアドレスが緊急ラインのＩＰアドレスの場合には、前記接続要求元の位置情報を前記緊急電話発信装置に送り、前記ＩＰアドレスが緊急ライン以外の通常のＩＰアドレスの場合には、該接続要求を前記ＩＰ電話接続サーバに送るＩＰ電話番号識別手段と、を有することを特徴とする。
また、請求項２記載の発明は、請求項１のインターネット電話システムにおいて、前記ＩＰ電話装置が、発信する接続要求ごとにＩＰアドレスを割り当てるＩＰ電話装置であることを特徴とする。
また、請求項３記載の発明は、請求項１または請求項２記載のインターネット電話システムにおいて、前記緊急ラインが、１１０番または１１９番の通信回線であることを特徴とする。
【０００５】
また、請求項４記載の発明は、請求項１または請求項２記載のインターネット電話システムにおいて、前記ＩＰ電話番号識別装置が、発信要求元からのＩＰアドレスを認識し、予め登録されたデータにより該ＩＰアドレスが緊急電話であるか否かの識別を行い、該ＩＰアドレスにより、緊急ライン、ＩＰ通信、通常電話回線への接続を行うことを特徴とする。
また、請求項５記載の発明は、請求項１記載のインターネット電話システムにおいて、前記ＩＰ電話番号識別手段が、前記ＩＰ電話終端装置内に設けられていることを特徴とする。
また、請求項６記載の発明は、前記ＩＰ電話番号識別装置が、位置（地域）情報を登録するためのメモリ手段と、接続要求が緊急ラインであるか通常ＩＰ通信であるかの識別手段と、緊急ラインの場合は、予め登録された位置情報をもとに最寄の緊急ラインへ接続を行う手段と、装置自信で緊急ラインへ繋ぐ手段と、通常ＩＰ通信の場合は、前記他のＩＰ電話終端装置への通常のＩＰ通信を行う手段とを持つことを特徴とする。
また、請求項７記載の発明は、請求項１または請求項２記載のインターネット電話システムにおいて、発信要求元からのＩＰアドレスを認識し、予め登録されたデータにより該ＩＰアドレスが緊急電話であるか否かの識別を行い、該ＩＰアドレスにより、緊急ライン、ＩＰ通信、通常電話回線への接続を行うＩＰ電話番号識別装置を特徴とする。
また、請求項８記載の発明は、請求項１記載のインターネット電話システムにおいて、位置（地域）情報を登録するためのメモリ手段と、接続要求が緊急ラインであるか通常ＩＰ通信であるかの識別手段と、緊急ラインの場合は、予め登録された位置情報をもとに最寄の緊急ラインへ接続を行う手段と、装置自信で緊急ラインへ繋ぐ手段と、通常ＩＰ通信の場合は、前記他のＩＰ電話終端装置への通常のＩＰ通信を行う手段とを持つＩＰ電話番号識別装置を特徴とする。
【発明の効果】
【０００６】
本発明の特徴によれば、インターネット電話において、緊急ラインに発信する際従来のインターネット電話以外のものと同様な効果が得られる。
本発明の他の特徴によれば、各接続要求に対し、ＩＰアドレスを割り当てることで、前記ＩＰ電話番号識別装置でのＩＰアドレス識別を容易とする。
本発明の他の特徴によれば、各接続要求（ＩＰアドレス）に対し、適切なラインへの接続を可能とする。
本発明の他の特徴によれば、システム構成の縮小化を図ることができる。
【発明を実施するための最良の形態】
【０００７】
以下に添付の図を参照してこの発明の実施形態を詳細に説明する。
【実施例】
【０００８】
図１は、本発明によるインターネット電話システムの一実施形態の概略構成図である。
図１に示すように、このインターネット電話システムは、ＩＰ（Internet Protocol）電話装置１−１〜１−Ｎと、ＩＰ電話終端装置２と、ＩＰ電話番号識別装置３と、ＩＰ電話接続サーバ４と、緊急電話発信装置５と、ＩＰ中継装置６と、ＩＰ電話受信／発信装置７と、電話接続装置８とから構成されている。
ＩＰ電話終端装置２は、ＩＰを用いた通信回線とＩＰ電話装置１−１〜１−Ｎとの接続を行っており、前記ＩＰ電話番号識別装置３を内蔵し、緊急ラインとそうでない場合のＩＰアドレスを判別し、緊急ラインであった場合は接続要求元の位置情報を接続要求と同時に緊急電話発信装置５へ発信する。
ＩＰ電話番号識別装置３は、発信要求元からのＩＰアドレスを認識し、予め登録されたデータにより該ＩＰアドレスが緊急電話であるか否かの識別を行い、該ＩＰアドレスにより、緊急ライン、ＩＰ通信、通常電話回線への接続を行うようになっており、そのために、位置（地域）情報を登録するためのメモリと、接続要求が緊急ラインであるか通常ＩＰ通信であるかの識別部と、緊急ラインの場合は、予め登録された位置情報をもとに最寄の緊急ラインへ接続を行う接続部と、装置自信で緊急ラインへ繋ぐ接続部と、通常ＩＰ通信の場合は、前記他のＩＰ電話終端装置への通常のＩＰ通信を行う通信部とを有している。
ＩＰ電話接続サーバ４は、ＩＰ電話終端装置２に接続され、インターネット電話回線の接続処理を行っている。
緊急電話発信装置５は、ＩＰ電話番号識別装置３が緊急ラインと判別した時に接続要求元のＩＰアドレスと位置情報を受け取り、最寄の緊急連絡先へ繋がるようＩＰ電話接続サーバ４を介してＩＰ中継装置６へ接続する。
ＩＰ中継装置６は、ＩＰ電話終端装置２をインターネット電話回線を介して他のＩＰ電話終端装置に中継する処理を行なっているが、緊急ラインの際は緊急電話発信装置５とインターネット回線との中継を行う。
ＩＰ電話受信／発信装置７は、一般電話回線に対する発呼および一般回線からの受信を行なっている。電話接続装置８は、前記ＩＰ電話受信／発信装置７と一般電話回線とのＩ／Ｆとなり一般電話への電話接続を行っている。
なお、前記ＩＰ電話装置が、発信する接続要求ごとにＩＰアドレスを割り当てるようになっている。
【０００９】
次に、図２のフローチャートを参照して、図１に示したインターネット電話システムの動作について説明する。
図２は、図１に示したインターネット電話システムの動作フローチャートである。
先ず、ＩＰ電話装置１．１〜１．Ｎからの接続要求を示すＩＰパケット内の接続先（すなわちＩＰアドレス）が判別され（ステップ１０１、１０２）、そのＩＰアドレスが通常のＩＰ電話接続先のＩＰアドレスであるか、緊急ラインに対するＩＰアドレスであるかが判定される（ステップ１０３）。
上記ステップ１０３において、そのＩＰアドレスが通常のＩＰ電話接続先のＩＰアドレスであると判定された場合には、その接続要求はＩＰ電話接続サーバ４に転送され、ＩＰ通信か、一般電話による通信かが判定される（ステップ１０４）。そして、前記ＩＰアドレスが通常の一般電話へのＩＰアドレスと判定された際には、ステップ１０８のＩＰ電話受信／発信装置７へ転送され、電話接続装置８へ送られ（ステップ１０９）、一般電話回線へとつながる（ステップ１１１）。
【００１０】
一方、ステップ１０３において、そのＩＰアドレスが緊急ラインのＩＰアドレスであると判定された場合には、その接続要求は、緊急電話発信装置５に転送され（ステップ１０５）、緊急電話発信装置５により、接続要求と接続要求先の位置情報をＩＰ電話接続サーバに転送し（ステップ１０６）、ＩＰ中継装置６へ送り（ステップ１０７）、インターネット回線へとつながる（ステップ１１０）。ここでは、緊急電話発信装置５より、直接インターネット回線へのアクセスを行うものとする。
また、上記ステップ１０４において、前記ＩＰアドレスが通常のＩＰ電話へのＩＰアドレスと判定された場合、接続要求と接続要求先の位置情報をＩＰ電話接続サーバに転送し（ステップ１０６）、ＩＰ中継装置６へ送り（ステップ１０７）、インターネット回線へとつながる（ステップ１１０）。
なお、本実施形態では、ＩＰ電話終端装置１内に、ＩＰ電話番号識別装置３を組み込む場合を用いて説明しているが、本発明はこのような構成に限定されるものではなく、ＩＰ電話番号識別装置３をＩＰ電話終端装置２の外部に設置する場合でも同様に適用することができるものである。
また、本実施形態では、緊急ラインとして１１０番や１１９番等の電話回線を用いているが、本発明はこのような場合に限定されるものではなく、他の判別不能な特定の回線を緊急ラインとする場合にも同様に適用することができるものである。
【図面の簡単な説明】
【００１１】
【図１】本発明によるインターネット電話システムの一実施形態の概略構成図。
【図２】図１に示したインターネット電話システムの動作フローチャート。
【符号の説明】
【００１２】
１  ＩＰ電話装置
２  ＩＰ電話終端装置
３  ＩＰ電話番号識別装置
４  ＩＰ電話接続サーバ
５  緊急電話発信装置
６  ＩＰ中継装置
７  ＩＰ電話受信／発信装置
８  電話接続装置
【図１】
2005094521.tif 000003
【図２】
2005094521.tif 000004